(57)【要約】本実施形態は、無線通信ネットワークの無線ネットワークノード（１１０）により送信されるビームのビーム基準信号（ＢＲＳ）を処理するために、前記無線ネットワークノード（１１０）により実行される方法に関する。無線ネットワークノードは、ＢＲＳブロックを生成し、各ＢＲＳブロックは、ビームのポートに属するＢＲＳのための隣接サブキャリアの各グループを含み、ポートに属するＢＲＳは、各ＢＲＳブロックの隣接サブキャリアの各グループの各サブキャリアで搬送される。さらに、無線ネットワークノードは、同じ直交周波数分割多重（ＯＦＤＭ）シンボルの帯域幅に渡り拡散されたＢＲＳブロックを送信する。
2019519952.tif 000002
【特許請求の範囲】
【請求項１】
無線通信ネットワークの無線ネットワークノード（１１０）により送信されるビームのビーム基準信号（ＢＲＳ）を処理するために、前記無線ネットワークノード（１１０）により実行される方法であって、
ＢＲＳブロックを生成すること（４０１）であって、各ＢＲＳブロックは、前記ビームのポートに属する前記ＢＲＳのための隣接サブキャリアの各グループを含み、前記ポートに属する前記ＢＲＳは、各ＢＲＳブロックの隣接サブキャリアの前記各グループの各サブキャリアで搬送される、前記生成する（４０１）ことと、
同じ直交周波数分割多重（ＯＦＤＭ）シンボルの帯域幅に渡り拡散された前記ＢＲＳブロックを送信すること（４０２）と、
を含む方法。
【請求項２】
請求項１に記載の方法であって、
前記帯域幅に渡り拡散された前記ＢＲＳブロックを前記送信すること（４０２）は、前記同じＯＦＤＭシンボルのシステム帯域幅に渡り前記ＢＲＳブロックを繰り返し送信することを含む、方法。
【請求項３】
請求項１又は２に記載の方法であって、
前記帯域幅に渡り拡散された前記ＢＲＳブロックを前記送信すること（４０２）は、周波数ドメインにおいて前記帯域幅の中間に他の信号のためのスペースだけ間隔を設けた前記ＢＲＳブロックを送信することを含む、方法。
【請求項４】
請求項１から３のいずれか１項に記載の方法であって、
前記ＢＲＳブロックは、前記各ＢＲＳブロックの基準信号シーケンスのための異なる初期シード値を有する、方法。
【請求項５】
請求項１から４のいずれか１項に記載の方法であって、
各ＢＲＳブロックの隣接サブキャリアの更なるグループが、異なるビームの異なるＢＲＳに割り当てられる、方法。
【請求項６】
請求項１から５のいずれか１項に記載の方法であって、
前記ＢＲＳブロックを前記送信すること（４０２）は、前記ＢＲＳブロックをブロードキャストすることを含む、方法。
【請求項７】
請求項１から６のいずれか１項に記載の方法であって、
前記無線ネットワークノード（１１０）は、合計数のビームをサポートする複数アンテナシステムを含み、前記ＢＲＳブロックを前記生成すること（４０１）は、前記ＢＲＳブロックを生成することを含み、各ＢＲＳブロックは、隣接サブキャリアのＭ個のグループを含み、前記Ｍ個のグループの各グループは、各ビームの対応するＢＲＳを搬送する隣接サブキャリアのグループを含み、グループの数Ｍは、前記複数アンテナシステムによりサポートされるビームの前記合計数に対応する、方法。
【請求項８】
無線通信ネットワークの無線ネットワークノード（１１０）により送信されるビームのビーム基準信号（ＢＲＳ）を測定するために、無線デバイス（１２０）により実行される方法であって、
同じ直交周波数分割多重（ＯＦＤＭ）シンボルの帯域幅に渡り拡散されたＢＲＳブロックを受信すること（５０１）であって、各ＢＲＳブロックは、前記ビームのポートに属する前記ＢＲＳのための隣接サブキャリアの各グループを含み、前記ポートに属する前記ＢＲＳは、各ＢＲＳブロックの隣接サブキャリアの前記各グループの各サブキャリアで搬送される、前記受信する（５０１）ことと、
前記ＢＲＳブロックの測定を実行する（５０２）ことと、
を含む方法。
【請求項９】
請求項８に記載の方法であって、
前記帯域幅に渡り拡散された前記ＢＲＳブロックを前記受信する（５０１）ことは、前記同じＯＦＤＭシンボルのシステム帯域幅に渡り繰り返し送信される前記ＢＲＳブロックを受信することを含む、方法。
【請求項１０】
請求項８又は９に記載の方法であって、
前記帯域幅に渡り拡散された前記ＢＲＳブロックを前記受信する（５０１）ことは、周波数ドメインにおいて前記帯域幅の中間に他の信号のためのスペースだけ間隔を設けた前記ＢＲＳブロックを受信することを含む、方法。
【請求項１１】
請求項８から１０のいずれか１項に記載の方法であって、
前記ＢＲＳブロックは、前記各ＢＲＳブロックの基準信号シーケンスのための異なる初期シード値を有する、方法。
【請求項１２】
請求項８から１１のいずれか１項に記載の方法であって、
受信される各ＢＲＳブロックは、異なるビームの異なるＢＲＳに割り当てられた隣接サブキャリアの更なるグループを含む、方法。
【請求項１３】
請求項８から１２のいずれか１項に記載の方法であって、
受信される各ＢＲＳブロックは、隣接サブキャリアのＭ個のグループを含み、前記Ｍ個のグループの各グループは、各ビームの対応するＢＲＳを搬送する隣接サブキャリアのグループを含み、グループの数Ｍは、前記無線ネットワークノード（１１０）に含まれる複数アンテナシステムによりサポートされるビームの合計数に対応する、方法。
【請求項１４】
無線通信ネットワークの無線ネットワークノード（１１０）により送信されるビームのビーム基準信号（ＢＲＳ）を処理する前記無線ネットワークノード（１１０）であって、
前記無線ネットワークノード（１１０）は、
ＢＲＳブロックであって、各ＢＲＳブロックは、前記ビームのポートに属する前記ＢＲＳのための隣接サブキャリアの各グループを含み、前記ポートに属する前記ＢＲＳは、各ＢＲＳブロックの隣接サブキャリアの前記各グループの各サブキャリアで搬送される、前記ＢＲＳブロックを生成し、
同じ直交周波数分割多重（ＯＦＤＭ）シンボルの帯域幅に渡り拡散された前記ＢＲＳブロックを送信する様に構成される、無線ネットワークノード。
【請求項１５】
請求項１４に記載の無線ネットワークノードであって、
前記同じＯＦＤＭシンボルのシステム帯域幅に渡り前記ＢＲＳブロックを繰り返し送信する様に構成される、無線ネットワークノード。
【請求項１６】
請求項１４又は１５に記載の無線ネットワークノード（１１０）であって、
周波数ドメインにおいて前記帯域幅の中間に他の信号のためのスペースだけ間隔を設けた前記ＢＲＳブロックを送信する様に構成される、無線ネットワークノード。
【請求項１７】
請求項１４から１６のいずれか１項に記載の無線ネットワークノード（１１０）であって、
前記ＢＲＳブロックは、前記各ＢＲＳブロックの基準信号シーケンスのための異なる初期シード値を有する、無線ネットワークノード。
【請求項１８】
請求項１４から１７のいずれか１項に記載の無線ネットワークノード（１１０）であって、
異なるビームの異なるＢＲＳのために各ＢＲＳブロックの隣接サブキャリアの更なるグループを割り当てる様に構成される、無線ネットワークノード。
【請求項１９】
請求項１４から１８のいずれか１項に記載の無線ネットワークノード（１１０）であって、
前記ＢＲＳブロックをブロードキャストする様に構成される、無線ネットワークノード。
【請求項２０】
請求項１４から１９のいずれか１項に記載の無線ネットワークノード（１１０）であって、
合計数のビームをサポートする複数アンテナシステムを含み、前記無線ネットワークノード（１１０）は、前記ＢＲＳブロックを生成する様に構成され、各ＢＲＳブロックは、隣接サブキャリアのＭ個のグループを含み、前記Ｍ個のグループの各グループは、各ビームの対応するＢＲＳを搬送する隣接サブキャリアのグループを含み、グループの数Ｍは、前記複数アンテナシステムによりサポートされるビームの前記合計数に対応する、無線ネットワークノード。
【請求項２１】
無線通信ネットワークの無線ネットワークノード（１１０）により送信されるビームのビーム基準信号（ＢＲＳ）を測定する無線デバイス（１２０）であって、
前記無線デバイスは、
同じ直交周波数分割多重（ＯＦＤＭ）シンボルの帯域幅に渡り拡散されたＢＲＳブロックであって、各ＢＲＳブロックは、前記ビームのポートに属する前記ＢＲＳのための隣接サブキャリアの各グループを含み、前記ポートに属する前記ＢＲＳは、各ＢＲＳブロックの隣接サブキャリアの前記各グループの各サブキャリアで搬送される、前記ＢＲＳブロックを受信し、
前記ＢＲＳブロックの測定を実行する様に構成される、無線デバイス。
【請求項２２】
請求項２１に記載の無線デバイス（１２０）であって、
前記同じＯＦＤＭシンボルのシステム帯域幅に渡り繰り返し送信される前記ＢＲＳブロックを受信する様に構成される、無線デバイス。
【請求項２３】
請求項２１又は２２に記載の無線デバイス（１２０）であって、
周波数ドメインにおいて前記帯域幅の中間に他の信号のためのスペースだけ間隔を設けた前記ＢＲＳブロックを受信する様に構成される、無線デバイス。
【請求項２４】
請求項２１から２３のいずれか１項に記載の無線デバイス（１２０）であって、
前記ＢＲＳブロックは、前記各ＢＲＳブロックの基準信号シーケンスのための異なる初期シード値を有する、無線デバイス。
【請求項２５】
請求項２１から２４のいずれか１項に記載の無線デバイス（１２０）であって、
受信される各ＢＲＳブロックは、異なるビームの異なるＢＲＳに割り当てられた隣接サブキャリアの更なるグループを含む、無線デバイス。
【請求項２６】
請求項２１から２５のいずれか１項に記載の無線デバイス（１２０）であって、
前記ＢＲＳブロックを受信する様に構成され、受信される各ＢＲＳブロックは、隣接サブキャリアのＭ個のグループを含み、前記Ｍ個のグループの各グループは、各ビームの対応するＢＲＳを搬送する隣接サブキャリアのグループを含み、グループの数Ｍは、前記無線ネットワークノード（１１０）に含まれる複数アンテナシステムによりサポートされるビームの合計数に対応する、無線デバイス。
【請求項２７】
無線通信ネットワークの無線ネットワークノード（１１０）により送信されるビームのビーム基準信号（ＢＲＳ）を処理する前記無線ネットワークノード（１１０）であって、
前記無線ネットワークノードは、処理ユニットと、メモリと、を備え、前記メモリは、前記処理ユニットにより実行可能な命令を含み、これにより前記無線ネットワークノードは、
ＢＲＳブロックであって、各ＢＲＳブロックは、前記ビームのポートに属する前記ＢＲＳのための隣接サブキャリアの各グループを含み、前記ポートに属する前記ＢＲＳは、各ＢＲＳブロックの隣接サブキャリアの前記各グループの各サブキャリアで搬送される、前記ＢＲＳブロックを生成し、
同じ直交周波数分割多重（ＯＦＤＭ）シンボルの帯域幅に渡り拡散された前記ＢＲＳブロックを送信する様に動作する、無線ネットワークノード。
【請求項２８】
無線通信ネットワークの無線ネットワークノード（１１０）により送信されるビームのビーム基準信号（ＢＲＳ）を測定する無線デバイス（１２０）であって、
前記無線デバイスは、処理ユニットと、メモリと、を備え、前記メモリは、前記処理ユニットにより実行可能な命令を含み、これにより前記無線デバイスは、
同じ直交周波数分割多重（ＯＦＤＭ）シンボルの帯域幅に渡り拡散されたＢＲＳブロックであって、各ＢＲＳブロックは、前記ビームのポートに属する前記ＢＲＳのための隣接サブキャリアの各グループを含み、前記ポートに属する前記ＢＲＳは、各ＢＲＳブロックの隣接サブキャリアの前記各グループの各サブキャリアで搬送される、前記ＢＲＳブロックを受信し、
前記ＢＲＳブロックの測定を実行する様に動作する、無線デバイス。
【請求項２９】
無線通信ネットワークの無線ネットワークノード（１１０）により送信されるビームのビーム基準信号（ＢＲＳ）を処理する前記無線ネットワークノード（１１０）であって、
ＢＲＳブロックを生成する様に構成された生成モジュールであって、各ＢＲＳブロックは、前記ビームのポートに属する前記ＢＲＳのための隣接サブキャリアの各グループを含み、前記ポートに属する前記ＢＲＳは、各ＢＲＳブロックの隣接サブキャリアの前記各グループの各サブキャリアで搬送される、前記生成モジュールと、
同じ直交周波数分割多重（ＯＦＤＭ）シンボルの帯域幅に渡り拡散された前記ＢＲＳブロックを送信する様に構成された送信モジュールと、
を備えている無線ネットワークノード。
【請求項３０】
無線通信ネットワークの無線ネットワークノード（１１０）により送信されるビームのビーム基準信号（ＢＲＳ）を測定する無線デバイス（１２０）であって、
同じ直交周波数分割多重（ＯＦＤＭ）シンボルの帯域幅に渡り拡散されたＢＲＳブロックを受信する様に構成された受信モジュールであって、各ＢＲＳブロックは、前記ビームのポートに属する前記ＢＲＳのための隣接サブキャリアの各グループを含み、前記ポートに属する前記ＢＲＳは、各ＢＲＳブロックの隣接サブキャリアの前記各グループの各サブキャリアで搬送される、前記受信モジュールと、
前記ＢＲＳブロックの測定を実行する様に構成された実行モジュールと、
を備えている無線デバイス。
【発明の詳細な説明】
【技術分野】
【０００１】
本実施形態は、無線ネットワークノード、無線デバイス及びそれらにおいて実行される方法に関する。特に、本実施形態は、無線通信ネットワークにおけるビーム基準信号に関する。
【背景技術】
【０００２】
典型的な無線通信ネットワークにおいて、無線通信デバイス、移動局、局（ＳＴＡ）及び／又はユーザ装置（ＵＥ）としても知られる無線デバイスは、無線アクセスネットワーク（ＲＡＮ）を介して、１つ以上のコアネットワーク（ＣＮ）と通信する。ＲＡＮは、地理的領域をカバーし、ビーム又はビームグループとしても参照され得るサービスエリア又はセルエリアに渡る無線カバレッジを提供し、各サービスエリア又はビームは、無線アクセスノードの様な無線ネットワークノードによりサービス提供、或いは、制御され、無線アクセスノードは、例えば、Ｗｉ−Ｆｉアクセスポイントや、幾つかのネットワークにおいては、例えば、"ノードＢ"又は"ｅノードＢ"として示される無線基地局（ＲＢＳ）である。無線ネットワークノードは、無線ネットワークノードの範囲内の無線デバイスと、無線周波数で動作するエアインタフェースを介して通信する。
【０００３】
ユニバーサル移動通信ネットワーク（ＵＭＴＳ）は、第２世代（２Ｇ）のＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）から発展した、第３世代（３Ｇ）電気通信ネットワークである。ＵＭＴＳ地上無線アクセスネットワーク（ＵＴＲＡＮ）は、基本的には、ユーザ装置のために広帯域符号分割多重アクセス（ＷＣＤＭＡ）及び／又は高速パケットアクセス（ＨＳＰＡ）を使用するＲＡＮである。第３世代パートナーシッププロジェクト（３ＧＰＰ）として公知のフォーラムにおいて、通信サプライヤは、第３世代ネットワークのための規格を提案し、かつ、合意し、拡張データレート及び拡張無線キャパシティを調査している。例えば、ＵＭＴＳの様な幾つかのＲＡＮにおいて、幾つかの無線ネットワークノードは、地上伝送路又はマイクロウェーブにより、無線ネットワークコントローラ（ＲＮＣ）又は基地局コントローラ（ＢＳＣ）の様なコントローラノードに接続され、それらは、接続される複数の無線ネットワークノードの種々の活動を監視し、調整する。この種の接続は、しばしば、バックホール接続として参照される。ＲＮＣ及びＢＳＣは、典型的には、１つ以上のコアネットワークに接続される。
【０００４】
第４世代（４Ｇ）ネットワークとも呼ばれる発展型パケットシステム（ＥＰＳ）の規格化が第３世代パートナーシッププロジェクト（３ＧＰＰ）内において完了し、この作業は、例えば、第５世代（５Ｇ）ネットワークの仕様化といった次の３ＧＰＰリリースにおいて継続する。ＥＰＳは、ロングタームエボリューション（ＬＴＥ）無線アクセスネットワークとしても知られる、発展型ユニバーサル地上無線アクセスネットワーク（Ｅ−ＵＴＲＡＮ）と、システムアーキテクチャエボリューション（ＳＡＥ）コアネットワークとしても知られる、発展型パケットコア（ＥＰＣ）と、を含む。Ｅ−ＵＴＲＡＮ／ＬＴＥは、３ＧＰＰ無線アクセスネットワークの変形であり、無線ネットワークノードは、ＲＮＣではなく、ＥＰＣコアネットワークに直接的に接続される。一般的に、Ｅ−ＵＴＲＡＮ／ＬＴＥにおいて、ＲＮＣの機能は、例えば、ＬＴＥのｅノードＢといった無線ネットワークノードと、コアネットワークに分散されている。この様に、ＥＰＳのＲＡＮは、本質的に、"フラット"な構成であり、１つ以上のコアネットワークに直接接続される無線ネットワークノードを含み、ＲＮＣには接続されない。それを補うため、Ｅ−ＵＴＲＡＮ規格は、無線ネットワークノード間のダイレクトインタフェースを定義し、このインタフェースは、Ｘ２インタフェースと呼ばれる。
【０００５】
マルチアンテナ技術は、無線通信ネットワークのデータレート及び信頼性を非常に増加させることができる。送信機及び受信機の両方がマルチアンテナを有すると、多入力多出力（ＭＩＭＯ）通信チャネルが形成され、パフォーマンスは、特に改善される。その様なシステム及び／又は関連技術は、通常、ＭＩＭＯとして参照される。
【０００６】
アドバンスドアンテナシステム（ＡＳＳ）は、近年、その技術が著しく発展した領域であり、将来的にも急速な技術開発が予想される。一般的に、ＡＡＳ及びマッシブＭＩＭＯ送受信が、将来の第５世代（５Ｇ）システムで特に使用されることが予想される。
【０００７】
ＡＡＳに関し、ビーム形成（フォーミング）が広く普及しつつあり、それは、データの送信のみならず、制御情報の送信にも使用される。
【０００８】
ビーム形成送信を行うシステムにおいて、送信機が最も良いビームを選択するためには、受信機からのフィードバックを必要とする。よって、各ビームは、典型的には、ビーム基準信号（ＢＲＳ）としても参照される、一意の基準信号（ＲＳ）を含む。ＢＲＳは、受信側が各ビームを特定し、かつ、その受信電力測定、つまり、ＲＳの受信電力（ＲＰ）測定を実行する手段を提供する。モビリティ基準信号（ＭＲＳ）も、受信電力測定のために使用できる。
【０００９】
ＢＲＳ
将来の５Ｇシステムにおいて、無線ネットワークノードは、1つ以上のビームと、ビーム基準信号（ＢＲＳ）と表記されるビーム当たり1又は２の基準信号（ＲＳ）を送信し得る。ビーム当たり２つの偏波で送信する場合、１つの基準信号が偏波毎に送信されるので、２つの基準信号がビーム毎に送信され、ビームは２つの偏波を含むので、ビームは、実際には、２つのポート又はアンテナポートを有する。別の形態では、ビームは単一ポートのみを有する。ビームが１つのポートを有するか、２つのポートを有するかは、定義の問題であり、ビームが１つの偏波であるか、２つの偏波を有するかの定義に依存する。実装の観点から、通常の場合、ビームは両方の偏波を有し、よって、２つのポート又はアンテナポートを有する。しかしながら、概念的には、１つのビームを１つのポートに関連づけることが分かり易く、本開示を通じてその様にする。
【００１０】
１つのＢＲＳは、１つのビームの１つの直交周波数分割多重（ＯＦＤＭ）シンボルで送信される。次のＯＦＤＭシンボルは、多くのビームをカバーするために異なるビームで送信され得る。
【００１１】
１つのＯＦＤＭシンボルは、複数のビームを送信し得る。一例として、１つのＯＦＤＭシンボルは、８ポート上の８ビームで送信でき、ここで、ポートは、送信される基準信号又はビームと等価である。ＵＥとしても参照される無線デバイスがある基準信号を用いてチャネルを測定することは、無線デバイスがその送信ポートからのチャネルを測定しているとも表現される。データレイヤが、あるポートから送信されるとも表現でき、その場合、受信機は、そのポートに関連付けられた基準信号を用いてデータレイヤを復調できる。ポート又はＢＲＳポートは、当該ポートから送信されたＢＲＳにより定義され、当該ポートは、送信ビームに関連付けられる。ＢＲＳからのチャネル推定は、同じビームで送信される任意のデータのチャネル推定として使用され得る。
【００１２】
この目的は、例えば、無線デバイスが、モビリティで使用されるビームを発見するため、無線ネットワークノードが、データ送信の観点で役に立つビームを追跡するため、つまり、無線デバイスに、十分な信号対干渉及び雑音比（ＳＩＮＲ）で受信させるためである。
【００１３】
無線デバイスは、候補ビームを発見するためにＢＲＳのセットをサーチし、これらＢＲＳで測定を実行する。例えば、ＢＲＳの受信電力は、測定ＢＲＳ−受信電力（ＲＰ）である。ＢＲＳセットのサーチとは、無線デバイスが複数のＢＲＳのＢＲＳ−ＲＰを測定し、最も有用なＢＲＳ、つまり、最も有用な送信ビームを見つけることを試みることを意味する。どのＢＲＳをサーチするか、つまり、あるサブフレームでどの基準信号が送信され得るかと、どのＢＲＳ−ＲＰを測定することに価値があるかは、例えば、アクティブモードにある無線デバイスに構成され、或いは、仕様により与えられ得る。無線デバイスは、あるＢＲＳが送信されている時間−周波数グリッドを知っており、その態様も知っている。よって、"サーチ"は、受信信号の各時間／周波数位置と、セットの総てのＢＲＳの公知信号との相関を求め、その結果として電力を推定することに相当する。どのビームが強いＲＳＲＰを有するか、つまり、どのビームが検出されるかについての事前情報を無線デバイスはもたず、無線デバイスはどのビームが自身に向いているかをしらないので、用語"サーチ"は、多くを示している。
【００１４】
無線デバイスは、無線ネットワークノードに、測定報告でＢＳＲ測定結果と、恐らくは、測定したＢＲＳの、ＢＲＳのインデクスといった、任意のビームインデクス又はその等価物を報告する。無線デバイスは、何らかの方法でビームインデクスを報告する必要があり、そうしないと、無線ネットワークノードは、ＢＲＳ測定結果を特定のビームにリンクできず、よって、どのビームが送信に良いかについての情報を提供できない。無線デバイスは、最初にＢＲＳ選択を行う。例えば、最も強いＫ個のＢＲＳ−ＲＰが測定、及び／又は、選択されて報告され、ここで、Ｋは規格で与えられ、例えば、Ｋ＝１である、或いは、ＫはＲＲＣシグナリングとった、高次レイヤシグナリングで構成される。
【００１５】
典型的なケースにおいては総ての候補が測定され、最も強いもののサブセットが無線ネットワークノードに報告される。何らかの理由により、無線デバイスが送信（Ｔｘ）ビームのサブセット、つまり、ＢＲＳのサブセットのみを受信できる位置にいることをｅＮＢの様な無線ネットワークノードが知っている場合、無線ネットワークノードは、無線デバイスが測定する必要のあるビームのセットを制限し得る。しかしながら、総てのＢＲＳ／ビームを他の無線デバイスが受信できるかもしれず、総てのＢＲＳ／ビームが無線ネットワークノードからとにかく送信される必要があるので、その様な解決策は何も利点をもたらさない。よって、無線ネットワークノードが、無線デバイスが受信できるビームを知る必要があるとの代償の下、無線デバイスでの処理を節約できるのみである。
【００１６】
図１は、無線ネットワークノードの様な３つの送信ポイント（ＴＰ）ＴＰ１、ＴＰ２及びＴＰ３を有する無線通信ネットワークでのシナリオを示し、各ＴＰは、複数のビームを提供することが可能である。各ビームにおいて、一意なＢＲＳが送信される。
【００１７】
干渉抑制
無線通信ネットワークの他の送信ポイント又は他の無線ネットワークノードより送信されるＢＲＳから生じる干渉は、以下の例により抑制され得る。
【００１８】
サブキャリアｎでの受信信号は以下の様に記述される。
ｙ（ｎ）＝ｈ１（ｎ）＊ｘ１（ｎ）＋ｈ２（ｎ）＊ｘ２（ｎ）＋ｖ（ｎ）
ここで、ｙは無線デバイスの受信信号であり、
ｈ１（ｎ）は、サブキャリアｎのビーム１のチャネル（ビームは他の干渉無線ネットワークノードからのものでもあり得る）であり、
ｈ２（ｎ）は、サブキャリアｎのビーム２のチャネル（ビームは他の干渉無線ネットワークノードからのものでもあり得る）であり、
ｘ１（ｎ）は、ビーム１のサブキャリアｎで送信される信号（信号は他の干渉無線ネットワークノードからのものでもあり得る）であり、
ｘ２（ｎ）は、ビーム２のサブキャリアｎで送信される信号（信号は他の干渉無線ネットワークノードからのものでもあり得る）であり、
ｖ（ｎ）は、ノイズ及び干渉であり、
ｎは、信号又はチャネルのサブキャリアインデクスである。
【００１９】
無線デバイスは、ビーム１を測定し、Ｎサンプルに渡るＸ１（ｎ）との相関を求める。
Ｚ＝Ｓｕｍ（ｘ１（ｎ）＊ｙ（ｎ）,ｎ＝１〜Ｎ）
【００２０】
チャネルがフラットであると、ｈ１（ｎ）＝ｈ１、ｈ２（ｎ）＝ｈ２であり、シーケンスｘ１、ｘ２がＮサンプルに渡り直交していると、
Ｚ＝ｓｕｍ（｜ｘ１（ｎ）｜２,ｎ＝１...,Ｎ）＊ｈ１
であり、式Ｚからクロスシーケンス項が消えるので、正しいビーム電力を測定することができる。
【００２１】
しかしながら、チャネルが周波数選択性、最悪の場合として、フェージングチャネルｈ１（ｎ）がランダムシーケンスであるとＺ〜０となり、非コヒーレントな結合と干渉によりビーム電力を測定できない。
【００２２】
これは、他の干渉信号ｘ２からの干渉抑制を可能にするためには、チャネルがフラット、或いは、相関期間、つまり、ここではＮサンプルとして記述する信号ｘ１が送信されている期間に渡り、高い相関を有することが必要であることを示している。
【００２３】
他の無線ネットワークノードからのＢＲＳ送信は、無線デバイスが測定しているＢＲＳを送信している無線ネットワークノードからのＢＲＳ送信と衝突し、干渉からどの様に保護するかが問題になる。幾つかのシナリオにおいて、ＢＲＳ送信は不完全に測定されるかもしれず、これは、不完全又は不正確なチャネル推定の結果となり、無線通信ネットワークのパフォーマンスを減少又は制限する結果となる。
【発明の概要】
【発明が解決しようとする課題】
【００２４】
本目的は、ビーム形成された通信を使用する際の無線通信ネットワークのパフォーマンスを改善するメカニズムを提供することである。
【課題を解決するための手段】
【００２５】
一態様によると、目的は、無線通信ネットワークの無線ネットワークノードにより送信されるビームのＢＲＳを処理するために、無線ネットワークノードで実行される方法を提供することにより達成される。無線ネットワークノードは、ＢＲＳブロックを生成し、各ＢＲＳブロックは、ビームのポートに属するＢＲＳのための隣接サブキャリアの各グループを含み、ポートに属するＢＲＳは、各ＢＲＳブロックの隣接サブキャリアの各グループの各サブキャリアで搬送される。さらに、無線ネットワークノードは、同じＯＦＤＭシンボルの帯域幅に渡り拡散されたＢＲＳブロックを送信する。
【００２６】
他の態様によると、目的は、無線通信ネットワークの無線ネットワークノードにより送信されるビームのＢＲＳを測定するために、無線デバイスで実行される方法を提供することにより達成される。無線デバイスは、同じＯＦＤＭシンボルの帯域幅に渡り拡散されたＢＲＳブロックを受信する。各ＢＲＳブロックは、ビームのポートに属するＢＲＳのための隣接サブキャリアの各グループを含み、ポートに属するＢＲＳは、各ＢＲＳブロックの隣接サブキャリアの各グループの各サブキャリアで搬送される。無線デバイスは、ＢＲＳブロックの測定をさらに実行する。
【００２７】
さらに他の態様によると、目的は、無線通信ネットワークの無線ネットワークノードにより送信されるビームのＢＲＳを処理する、無線ネットワークノードを提供することにより達成される。無線ネットワークノードは、ＢＲＳブロックを生成する様に構成され、各ＢＲＳブロックは、ビームのポートに属するＢＲＳのための隣接サブキャリアの各グループを含み、ポートに属するＢＲＳは、各ＢＲＳブロックの隣接サブキャリアの各グループの各サブキャリアで搬送される。さらに、無線ネットワークノードは、同じＯＦＤＭシンボルの帯域幅に渡り拡散されたＢＲＳブロックを送信する様に構成される。
【００２８】
さらに他の態様によると、目的は、無線通信ネットワークの無線ネットワークノードにより送信されるビームのＢＲＳを測定する、無線デバイスを提供することにより達成される。無線デバイスは、同じＯＦＤＭシンボルの帯域幅に渡り拡散されたＢＲＳブロックを受信する様に構成され、各ＢＲＳブロックは、ビームのポートに属するＢＲＳのための隣接サブキャリアの各グループを含み、ポートに属するＢＲＳは、各ＢＲＳブロックの隣接サブキャリアの各グループの各サブキャリアで搬送される。無線デバイスは、ＢＲＳブロックの測定をさらに実行する様に構成される。
【００２９】
ＢＲＳは帯域幅に渡り拡散されるので、チャネルフェージングに対して強固にとなる様にＢＲＳは、ＢＲＳブロック、特に、ＢＲＳブロックのグループにマッピングされ、同時に、ＢＲＳはチャネル相関が高い隣接サブキャリアで送信されるので、干渉に対する処理ゲインが可能になり、よって、干渉に対する処理ゲインが達成される。よって、周波数ダイバーシティ及び干渉抑制の両方が同時に達成可能になり、無線通信ネットワークのパフォーマンスが改良される。
【００３０】
実施形態の詳細について、添付の図面を参照して詳細に説明する。
【図面の簡単な説明】
【００３１】
【図１】背景技術による無線通信ネットワークのシナリオを示す図。
【図２】無線通信ネットワークの実施形態を示す図。
【図３】本実施形態によるフローチャートとシグナリング方法を結合した図。
【図４】本実施形態による無線ネットワークノードにより実行される方法のフローチャート。
【図５】本実施形態による無線デバイスにより実行される方法のフローチャート。
【図６】本実施形態による無線ネットワークノードのブロック図。
【図７】本実施形態による無線デバイスのブロック図。
【図８】本実施形態によるＢＲＳブロックのブロック図。
【図９】本実施形態によるＢＲＳブロックのブロック図。
【図１０】本実施形態によるＢＲＳブロックのブロック図。
【図１１】無線デバイスにより実行される方法の実施形態のフローチャート。
【発明を実施するための形態】
【００３２】
本実施形態は、一般的に無線通信ネットワークに関する。図２は、無線通信ネットワーク１００の概略を示している。無線通信ネットワーク１００は、1つ以上のＲＡＮと、1つ以上のＣＮと、を有する。無線通信ネットワーク１００は、１つ又は複数の異なる技術、幾つかの可能な実装を述べると、ＷｉＦｉ、ロングタームエボリューション（ＬＴＥ）、ＬＴＥアドバンスド、５Ｇ、ニューレディオ（ＮＲ）、広帯域符号分割多重アクセス（ＷＣＤＭＡ）、グローバルシステム・フォー・モバイルコミュニケーションズ／エンハンスド・データレート・フォー・ＧＳＭエボリューション（ＧＳＭ／ＥＤＧＥ）、ワールドワイド・インタオペラビリィティ・フォー・マイクロウェーブアクセス（ＷｉＭａｘ）、又は、ウルトラモバイルブロードバンド（ＵＭＢ）を使用し得る。本実施形態は、近年の技術傾向、特に５Ｇの文脈に関するが、実施形態は、ＷＣＤＭＡやＬＴＥの様な、既存の無線通信ネットワークの将来の開発にも適用可能である。
【００３３】
無線通信ネットワーク１００において、無線デバイス、例えば、移動局、非アクセスポイント（ｎｏｎ−ＡＰ）ＳＴＡ、ＳＴＡ、ユーザ装置及び／又は無線端末の様な無線デバイス１２０は、例えば、ＲＡＮである１つ以上のアクセスネットワーク（ＡＮ）を介して、１つ以上のコアネットワーク（ＣＮ）と通信する。"無線デバイス"は、例えば、スマートフォン、ラップトップ、移動電話、センサ、中継器、モバイルタブレットや、セル内で通信するスモール基地局とった、無線通信端末、ユーザ装置、マシン型通信（ＭＴＣ）デバイス、デバイス・トゥ・デバイス（Ｄ２Ｄ）端末又はノードの様な任意端末を意味することを当業者は理解する。
【００３４】
無線通信ネットワーク１００は、サービス領域１１といった地理的領域に渡る無線カバレッジを提供する無線ネットワークノード１１０を有し、サービス領域１１は、ビーム又はビームグループとしても参照され、そこでは、ビームのグループが、５Ｇ、ＬＴＥ、ＷｉＦｉの様な第１無線アクセス技術（ＲＡＴ）のサービス領域をカバーする。無線ネットワークノード１１０は、送受信ポイントであり、使用されている第１無線アクセス技術及び使用される用語に応じて、例えば、無線ローカルエリアネットワーク（ＷＬＡＮ）アクセスポイント、又は、アクセスポイント局（ＡＰ  ＳＴＡ）や、アクセスコントローラや、例えば、ノードＢ、発展型ノードＢ（ｅＮＢ、ｅノードＢ）、ベース送受信機局、無線遠隔ユニット、アクセスポイント基地局、基地局ルータ、無線基地局の送信装置、スタンドアローンアクセスポイントの様な無線基地局といった基地局や、例えば、無線アクセスネットワーク１１０によりサービスされるサービス領域内で無線デバイスと通信できる任意の他のネットワークユニットであり得る。無線ネットワークノード１１０は、サービング無線ネットワークノードとしても参照され、無線デバイス１２０への下りリンク（ＤＬ）送信及び無線デバイス１２０からの上りリンク（ＵＬ）送信により、無線デバイス１２０と通信する。
【００３５】
無線ネットワークノード１１０は、複数のビームと、ビーム当たり１つ又は２つの基準信号（ＲＳ）、例えば、ＢＲＳを送信し得る。ＲＳは、アンテナポートとしても参照されるポートに関連付けられる。つまり、無線デバイス１２０が特定のＲＳを使用しての測定を実行することは、無線デバイス１２０が、当該特定のＲＳに対応するポートのチャネルを測定しているとも表現される。ＲＳがビーム形成されている、つまり、ＲＳがある指向方向へのビームを生成するマルチアンテナ・プリコーディング・ベクトルで送信されていることは、無線デバイス１２０がビームのポートを測定していると表現され得る。無線ネットワークノードは、複数のビームを送信し得るので、無線デバイス１２０は、シーケンシャル又はパラレルに、ビームの複数のポートを測定し得る。無線デバイス１２０は、基準信号の受信電力又は品質に基づき、１つ以上のビーム又はポートのチャネル推定を実行し得る。本実施形態によると、無線ネットワークノード１１０は、ＢＲＳブロックを生成し、各ＢＲＳブロックは、ビームのポートに属するＢＲＳのための隣接するサブキャリアの各グループを含む。ポートに属するＢＲＳは、各ＢＲＳブロックの隣接サブキャリアの各グループの各サブキャリアで搬送される。無線ネットワークノードは、同じ直交周波数分割多重（ＯＦＤＭ）シンボルの帯域幅に渡り拡散されたＢＲＳブロックを送信する。この様に、ＢＲＳは、帯域幅に渡り拡散され、これは、無線デバイス１２０でのより良いチャネル推定を可能にするので、本実施形態は、隣接サブキャリアのグループでＢＲＳを搬送する、より高い相関と、周波数ダイバーシティを提供する。ＢＲＳがポート又はビームに属するとは、プリコーダが、ＢＲＳを搬送する総てのサブキャリアに対して同じであることを意味する。この様に、ＢＲＳは、同じアンテナポートを介して送信され、アンテナポートは、特定のビーム／プリコーダに対応する。
【００３６】
図３は、ビーム測定結果報告の例示的なシーケンス図である。
【００３７】
アクション３０１
無線ネットワークノード１１０は、２つ以上のＢＲＳブロックを生成する。各ＢＲＳブロックは、ビームのポートに属するＢＲＳのための隣接サブキャリアのグループを含む。ポートに属するＢＲＳは、隣接サブキャリアのグループの各サブキャリアで搬送される。ここで、ポートは、ある送信プリコーダ又はビームを表す。グループは、サブブロックとしても参照され、よって、ＢＲＳブロックは、複数のサブブロックを含み、各サブブロックは、各ビーム又はポートの対応するＢＲＳを搬送する複数の隣接サブキャリア又は隣接サブキャリアのグループを含む。
【００３８】
アクション３０２
無線ネットワークノード１１０は、同じＯＦＤＭシンボルの、例えば、システム帯域幅といった帯域幅に渡り拡散された生成ＢＲＳブロックを送信する。1つのＢＲＳブロック内の特定ポートのサブキャリアのグループは、他のＢＲＳブロックの同じポートに関して、スペースが設けられる。ＢＲＳブロックは、帯域幅に渡り隣接ブロックとして配置され得る。帯域幅は、全システム帯域幅、又は、システム帯域幅の部分であり得る。
【００３９】
アクション３０３
無線デバイス１２０は、ＢＲＳブロックのこれらのＢＲＳの測定を実行する。例えば、ＢＲＳ−ＲＰを測定する。無線デバイスは、複数のＢＲＳのＢＲＳ−ＲＰを測定し、最も有用なＢＲＳ、つまり、最も有用な送信ビームを見つけることを試みる。無線デバイスは、受信信号と公知信号との相関を実行し、結果として得られる電力を推定する。
【００４０】
アクション３０４
無線デバイス１２０は、測定結果と、恐らくは、測定したＢＲＳのＢＲＳインデクスといった、任意のビームインデクス又はその等価物を、例えば、測定報告で、無線ネットワークノード１１０に報告する。無線デバイス１２０は、ＢＲＳ選択を行い、選択を報告、例えば、最も強いＢＲＳ、又は、閾値より強い複数のＢＲＳを報告する。
【００４１】
アクション３０５
無線ネットワークノード１１０は、受信した測定報告に基づき、無線デバイス１２０へのデータ又はシグナリング送信のためのポート又はビームを選択し得る。例えば、無線ネットワークノード１１０は、無線デバイス１２０で強い又は最も強い受信信号を持つと示されているビームのポートを選択し（アクション３０１）、当該ビームのポートを使用して、無線デバイス１２０にデータや、例えば、制御シグナリングを送信し得る。
【００４２】
図４は、無線通信ネットワークの無線ネットワークノード１１０により送信されるビームのＢＲＳを処理するために、無線ネットワークノード１１０により実行される方法のフローチャートである。
【００４３】
アクション４０１
無線ネットワークノード１１０は、２つ以上のＢＲＳブロックを生成する。各ＢＲＳブロックは、ビームのポートに属するＢＲＳのための隣接サブキャリアの各グループを含む。ポートに属するＢＲＳは、各ＢＲＳブロックの隣接サブキャリアの各グループの各サブキャリアで搬送される。この様に、高い相関を提供し、より良いチャネル推定をもたらす。一例を図８に示す。
【００４４】
各ＢＲＳブロックの隣接サブキャリアの更なるグループは、異なるビームの異なるＢＲＳに割り当てられ得る。幾つかの実施形態において、無線ネットワークノード１１０は、複数アンテナシステムを含み、複数のアンテナシステムは、合計数のビームをサポート、或いは、ビームの同時送信をサポートする。無線ネットワークノードは、ＢＲＳブロックを生成し、各ＢＲＳブロックは、Ｍ個の隣接サブキャリアの、上述したグループ及び更なるグループを有し、Ｍ個のグループの各グループは、各ビームの対応ＢＲＳを搬送する隣接サブキャリアのグループを含む。グループの数Ｍは、ビームの合計数、又は、複数アンテナシステムでサポートされる同時送信ビーム数に対応する。
【００４５】
アクション４０２
無線ネットワークノード１１０は、同じＯＦＤＭシンボルの帯域幅に渡り拡散されたＢＲＳブロックを送信する。例を図９及び図１０に示す。例えば、ＢＲＳブロックは、同じＯＦＤＭシンボルで送信され、ＢＲＳを搬送する隣接サブキャリアのグループは、周波数ドメインにおいてスペースが設けられる。ＢＲＳブロックは、例えば、図９に示す様に、同じＯＦＤＭシンボルのシステム帯域幅に渡り繰り返し送信され得る。ＢＲＳブロックは、図１０に示す様に、周波数ドメインの帯域幅の中間において、他の信号、例えば、物理ブロードキャストチャネル（ｘＰＢＣＨ）、拡張同期信号（ＥＳＳ）、セカンダリ同期信号（ＳＳＳ）及びプライマリ同期信号（ＰＳＳ）のための間隔を空けて送信され得る。無線ネットワークノード１１０は、サービス領域１１又はビームにおいてＢＲＳブロックをブロードキャストし得る。この様に、無線ネットワークノードは、ＢＲＳブロックを同じＯＦＤＭシンボルで送信し、ＢＲＳを搬送する隣接サブキャリアのグループは、周波数ドメインにおいて離れて配置される。
【００４６】
ポート又はアンテナポートは、無線ネットワークノード１１０での送信機アンテナのマルチアンテナ・プリコーダを使用することにより取得され得る。プリコーダは、送信ビームを生成し得る。サブキャリアがポートに属するとは、マルチアンテナ・プリコーダが、これら総てのサブキャリアにおいて同じであるという意味である。ＢＲＳは、同じポートを介して送信され、ポートは、特定のビーム／プリコーダに対応する。ポートは、当該ポートから送信されるＢＲＳにより定義され、つまり、予め定義されたシンボル及びサブキャリアのセットから送信されるＢＲＳにより定義され、よって、ポートは、送信ビームに関連付けられる。
【００４７】
アクション４０３
無線ネットワークノード１１０は、無線デバイス１２０から測定報告を受信し得る。測定報告は、複数のポート又はビームの受信強度又は品質を示し得る。異なるポート又はビームは、測定報告においてＢＲＳインデクス又は識別子により特定され得る。
【００４８】
アクション４０４
無線ネットワークノード１１０は、受信した測定報告に基づき、無線デバイスへのデータ又はシグナリング送信のためのポート又はビームを選択し得る。
【００４９】
ＢＲＳブロックは、各ＢＲＳブロックの基準信号シーケンスの異なる初期シード値を有し得る。各ブロック（及び各ノード）が異なるシーケンスを使用すると、干渉の追加のランダム化を提供する。
【００５０】
幾つかの特定の実施形態によると、ＢＲＳシーケンスが提供される。相互相関が低い又は０のシーケンスが、干渉抑制を確実に行うために選択される。
【００５１】
第１の例は、低い相互相関を有するＬＴＥ  ＳＳＳシーケンスに関し、ＬＴＥ  ＳＳＳの詳細は、３ＧＰＰ  ＴＳ３６．２１１、バージョン１２．５．０のセクション６．１１．２．１を参照のこと。
【００５２】
第２の例は、ＬＴＥ  ＰＳＳシーケンスの様な、Ｚａｄｏｆｆ−Ｃｈｕシーケンスに関し、ＬＴＥ  ＰＳＳの詳細は、３ＧＰＰ  ＴＳ３６．２１１、バージョン１２．５．０を参照のこと。
【００５３】
幾つかの実施形態において、初期シード値又はシーケンスシードは、検出したＰＳＳ＋ＳＳＳ（セルＩＤ）から受信機により取得される。つまり、無線デバイス１２０が、総ての可能なＰＳＳ及びＳＳＳシーケンスをサーチ、つまり、相関を実行すると、無線デバイス１２０は、ＰＳＳシーケンス・インデクスと、ＳＳＳシーケンス・インデクスを検出する。これらの２つのインデクスの両方により、０から５０３までの数であるセルＩＤ番号が定義され、或いは、セルＩＤ番号が判定される。
【００５４】
上述した様に、異なるＢＲＳブロックは、例えば、検出したセルＩＤ＋ＢＲＳブロックＩＤに応じて、シーケンスのための異なる初期シード値を有する。この利点は、干渉の追加のランダム化である。ＰＳＳ及びＳＳＳシーケンスのための初期シード値は、ＰＳＳ及びＳＳＳシーケンスを一意に判定するスカラ値である。単一のスカラ値から全シーケンスを決定できるので、それは、そのシーケンスのシード、シーケンスシード、又は、初期シード値と呼ばれる。
【００５５】
図５は、無線通信ネットワーク１００の無線ネットワークノード１１０により送信されるビームのＢＲＳを測定するために、無線デバイス１２０により実行される方法のフローチャートである。
【００５６】
アクション５０１
無線デバイスは、同じＯＦＤＭシンボルの帯域幅に渡り拡散された２つ以上のＢＲＳブロックを受信する。各ＢＲＳブロックは、ビームのポートに属するＢＲＳのための隣接サブキャリアの各グループを含み、ポートに属するＢＲＳは、各ＢＲＳブロックの隣接サブキャリアの各グループの各サブキャリアで搬送される。例えば、無線デバイス１２０は、同じＯＦＤＭシンボルのシステム帯域幅に渡り繰り返し送信されるＢＲＳブロックを受信し得る。無線デバイス１２０は、周波数ドメインにおいて、他の信号のために帯域幅の中間にスペースが設けられたＢＲＳブロックを受信し得る。ＢＲＳブロックは、各ＢＲＳブロックの基準信号シーケンスの異なる初期シード値を有し得る。幾つかの実施形態において、各受信ＢＲＳブロックは、異なるビームの異なるＢＲＳに割り当てられた隣接サブキャリアの更なるグループを含む。各受信されるＢＲＳブロックは、隣接サブキャリアのＭ個のグループを含み、Ｍ個のグループの各グループは、各ビームの対応するＢＲＳを搬送する隣接サブキャリアのグループ、例えば、更なるグループを含み得る。グループの数Ｍは、ここで述べたグループ及び更なるグループを含む複数アンテナシステムによりサポートされるビームの合計数、又は、同時に送信されるビーム数に対応し、複数アンテナシステムは、無線ネットワークノード１０に含まれる。
【００５７】
アクション５０２
無線デバイス１２０は、ＢＲＳブロックの測定をさらに実行する。無線デバイス１２０は、例えば、図１１に示すＢＲＳ−ＲＳを計算し得る。
【００５８】
アクション５０３
無線デバイス１２０は、測定結果と、恐らくは、測定したＢＲＳの、ＢＲＳのインデクスといった、任意のビームインデクス又はその等価物を、例えば、測定報告で、無線ネットワークノード１１０に報告する。
【００５９】
この様に、ビーム又はポートは、例えば、広帯域幅に拡散されるといった、チャネルフェージングに対して強くなる様にマッピングされる。これは、ビーム又はポートに関連付けられたＢＲＳが、例えば、全帯域幅のサブバンドに局所化されず全帯域幅に渡り拡散されるからであり、同時に、ＢＲＳは、チャネル相関の高い隣接サブキャリアで送信される、例えば、隣接サブキャリアへの局所化といった、干渉に対する処理ゲインが可能になり、よって、干渉に対する処理ゲインが達成される。
【００６０】
よって、周波数ダイバーシティ及び干渉抑制の両方を同時に達成可能になり、例えば、複数アンテナシステムを使用する無線通信ネットワークのパフォーマンスが改良される。これは、局所化された、或いは、分散されたＢＲＳのみが使用されるよりも、より高いスループット又はより高いパフォーマンスを達成する可能性のより高いビーム又はポートが無線デバイス１２０により選択されることを確実にする。言い換えると、リンクの信号対雑音比を改良する結果となる、より正しいビーム又はポートが選択され、より高いスペクトラム効率を得ることができる。
【００６１】
図６は、無線通信ネットワークの無線ネットワークノード１１０により送信されるビームのビーム基準信号（ＢＲＳ）を処理する無線ネットワークノード１１０のブロック図である。
【００６２】
無線ネットワークノード１１０は、本開示の方法を実行する様に構成された、例えば、１つ以上のプロセッサといった処理ユニット６０１を含み得る。
【００６３】
無線ネットワークノード１１０は、生成モジュール６１０を含み得る。無線ネットワークノード１１０、処理ユニット６０１及び／又は生成モジュール６１０は、ＢＲＳブロックを生成する様に構成され、各ＢＲＳブロックは、ビームのポートに属するＢＲＳのための隣接サブキャリアの各グループを含む。ポートに属するＢＲＳは、各ＢＲＳブロックの隣接サブキャリアの各グループの各サブキャリアで搬送される。ＢＲＳブロックは、各ＢＲＳブロックの基準信号シーケンスの異なる初期シード値を有し得る。無線ネットワークノード１１０、処理ユニット６０１及び／又は生成モジュール６１０は、異なるビームの異なるＢＲＳのために、各ＢＲＳブロックの隣接サブキャリアの更なるグループを割り当てる様に構成され得る。無線ネットワークノード１１０は、複数アンテナシステムを含み、複数のアンテナシステムは、ビームの合計数をサポートする。無線ネットワークノード１１０、処理ユニット６０１及び／又は生成モジュール６１０は、ＢＲＳブロックを生成する様に構成され、各ＢＲＳブロックは、隣接サブキャリアのＭ個のグループを含む。Ｍ個のグループの各グループは、各ビームの対応するＢＲＳを搬送する隣接サブキャリアのグループを含み、グループの数Ｍは、複数アンテナシステムによりサポートされるビームの合計数に対応する。
【００６４】
無線ネットワークノード１１０は、送信モジュール６２０又はブロードキャストモジュールを含み得る。無線ネットワークノード１１０、処理ユニット６０１及び／又は送信モジュール６２０は、同じＯＦＤＭシンボルの帯域幅に渡り拡散されるＢＲＳブロックを送信する様に構成される。無線ネットワークノード１１０、処理ユニット６０１及び／又は送信モジュール６２０は、同じＯＦＤＭシンボルのシステム帯域幅に渡りＢＲＳブロックを繰り返し送信する様に構成される。無線ネットワークノード１１０、処理ユニット６０１及び／又は送信モジュール６２０は、周波数ドメインにおいて帯域幅の中間に、ｘＰＢＣＨ、ＥＳＳ、ＳＳＳ及びＰＳＳＳの様な、他の信号のためのスペースだけ間隔を設けたＢＲＳブロックを送信する様に構成され得る。無線ネットワークノード１１０、処理ユニット６０１及び／又は送信モジュール６２０は、ＢＲＳブロックをブロードキャストする様に構成され得る。
【００６５】
無線ネットワークノード１１０は、さらに、例えば、受信モジュール６３０又は処理ユニット６０１の手段により、送信したＢＲＳブロックで無線デバイス１２０が実行した測定結果を含む測定報告を、無線デバイス１２０から受信する様に構成され得る。
【００６６】
無線ネットワークノード１１０は、さらに、例えば、選択モジュール６４０の手段により、無線ネットワークノード１１０と無線デバイス１２０との間のデータ送信のための１つ以上のビームを測定報告に基づき選択する様に構成され得る。
【００６７】
無線ネットワークノード１１０は、さらに、１つ以上のメモリユニットを含むメモリ６０５を備え得る。メモリ６０５は、処理ユニット６０１により実行可能な命令を含む。
【００６８】
メモリ６０５は、情報、例えば、ＢＲＳ、ＢＲＳブロック、割り当て情報、構成などのデータを格納する様に構成され、無線ネットワークノード１１０で実行されると、本開示の方法を実行する。
【００６９】
幾つかの実施形態において、コンピュータプログラム６０６は、処理ユニット６０１の様な少なくとも１つのプロセッサで実行されると、当該少なくとも１つの処理ユニット６０１に、アクション４０１〜４０４の任意のアクションを実行させる命令を含む。
【００７０】
幾つかの実施形態において、キャリア６０７は、コンピュータプログラム６０６を有し、キャリア６０７は、電子信号、光信号、電磁信号、磁気信号、電気信号、無線信号、マイクロウェーブ信号、又は、コンピュータ可読記憶媒体の１つである。
【００７１】
図７は、無線通信ネットワークの無線ネットワークノード１１０により送信されるビームのＢＲＳを測定する無線デバイス１２０を示している。
【００７２】
無線デバイス１２０は、本開示の方法を実行する様に構成された、例えば、１つ以上のプロセッサといった処理ユニット７０１を含み得る。
【００７３】
無線デバイス１２０は、受信モジュール７１０を含み得る。無線デバイス１２０、処理ユニット７０１及び／又は受信モジュール７１０は、同じＯＦＤＭシンボルの帯域幅に渡り拡散されたＢＲＳブロックを受信する様に構成される。各ＢＲＳブロックは、ビームのポートに属するＢＲＳのための隣接サブキャリアの各グループを含む。ポートに属するＢＲＳは、各ＢＲＳブロックの隣接サブキャリアの各グループの各サブキャリアで搬送される。無線デバイス１２０、処理ユニット７０１及び／又は受信モジュール７１０は、同じＯＦＤＭシンボルのシステム帯域幅に渡り繰り返し送信ＢＲＳブロックを受信する様に構成される。無線デバイス１２０、処理ユニット７０１及び／又は受信モジュール７１０は、周波数ドメインにおいて帯域幅の中間に他の信号のためのスペースだけ間隔を設けたＢＲＳブロックを受信する様に構成され得る。ＢＲＳブロックは、各ＢＲＳブロックの基準信号シーケンスの異なる初期シード値を有し得る。各受信ＢＲＳブロックは、異なるビームの異なるＢＲＳに割り当てられた隣接サブキャリアの更なるグループを含み得る。無線デバイス１２０、処理ユニット７０１及び／又は受信モジュール７１０は、ＢＲＳブロックを受信する様に構成され、受信される各ＢＲＳブロックは、隣接サブキャリアのＭ個のグループを含み、Ｍ個のグループの各グループは、各ビームの対応するＢＲＳを搬送する隣接サブキャリアのグループを含む。グループの数Ｍは、無線ネットワークノード１１０に含まれ得る複数アンテナシステムによりサポートされるビームの合計数に対応する。
【００７４】
無線デバイス１２０は、実行モジュール７２０を含み得る。無線デバイス１２０、処理ユニット７０１及び／又は実行モジュール７２０は、ＢＲＳブロックの測定を実行する様に構成され得る。無線デバイス１２０、処理ユニット７０１及び／又は実行モジュール７２０は、ＢＲＳ−ＲＳを計算する様に構成され得る。一例を図１１に示す。
【００７５】
幾つかの実施形態において、無線デバイス１２０は、例えば、送信モジュール７３０の手段により、ブロードキャストされた１つ以上のＢＲＳブロックで無線デバイス１２０が実行した測定結果を含む測定報告を、無線ネットワークノード１１０に送信する様に構成され得る。これは、無線ネットワークノード１１０と無線デバイス１２０との間のデータ送信のための１つ以上のビームを測定報告に基づき無線ネットワークノード１１０が選択することを可能にする。
【００７６】
無線デバイス１２０は、さらに、１つ以上のメモリユニットを含むメモリ７０３を備え得る。メモリ7０３は、処理ユニット７０１により実行可能な命令を含む。
【００７７】
メモリ７０３は、情報、例えば、ＢＲＳ、信号強度、ＢＲＳブロック構成、構成などのデータを格納する様に構成され、無線デバイス１２０で実行されると、本開示の方法を実行する。
【００７８】
幾つかの実施形態において、コンピュータプログラム７０４は、処理ユニット７０１の様な少なくとも１つのプロセッサで実行されると、当該少なくとも１つの処理ユニット７０１に、アクション５０１〜５０３の任意のアクションを実行させる命令を含む。
【００７９】
幾つかの実施形態において、キャリア７０５は、コンピュータプログラム７０４を有し、キャリアは、電子信号、光信号、電磁信号、磁気信号、電気信号、無線信号、マイクロウェーブ信号、又は、コンピュータ可読記憶媒体の１つである。
【００８０】
本実施形態は、ブロックでインタリーブされたＢＲＳに関し、ＢＲＳブロックは、複数の隣接サブキャリアのサブブロック又はグループを含み、異なるポートに属するサブブロック又はグループは、インタレースされる。さらに、ＬＴＥでの周波数インタリーブは、複数のサブキャリアに渡り、データ又は基準信号の様な信号を分散させ得る。単一サブキャリが減衰しても、同じＢＲＳにより使用されている幾つかの他のサブキャリアは減衰せず、ロバスト性を達成できる。ポートは、無線ネットワークノード１１０の送信機アンテナのマルチアンテナ・プリコーダを使用することで得られ、マルチアンテナ・プリコーダは、送信ビームを生成する。ポートのＢＲＳは、例えば、異なるＢＲＳブロック、例えば、全帯域幅といった帯域幅に分散されるので、ポートは、周波数ダイバーシティを達成すると同時に、グループの隣接サブキャリアへのマッピングで、非拡散／相関を可能にする構造を有し、ダイバーシティによる良好な信号対雑音比（ＳＮＲ）と、受信機での干渉抑制能力による良好な信号対干渉雑音比（ＳＩＮＲ）の両方を達成できるという利点がある。
【００８１】
本実施形態によると、ビームの１つのポートに属するＢＲＳを含むサブキャリアは、１つのＢＲＳを搬送する１２サブキャリアを含むグループを示す図８の例の様に、複数のグループにグループ化される。
【００８２】
その様なＭグループのセット、つまり、その様なグループの数は、図においてＢＲＳスーパブロックとして参照されるＢＲＳブロック８００に隣接及び結合される。例は、ＢＲＳブロックが８グループ、つまり、Ｍが８である場合を示している。
【００８３】
値Ｍは、システムでブロードキャストされることでシグナリングされ、或いは、サポートされるＢＲＳビームの最大数として仕様から得られるように構成され得る。幾つかの実施形態において、上述したグループは、ＢＲＳグループとしても参照され得る。
【００８４】
幾つかの実施形態において、ＢＲＳブロックは、無線通信ネットワーク１００のシステム帯域幅に渡り繰り返し送信され得る。
【００８５】
続いて、図９の例示的なブロック図を参照する。
【００８６】
図９において、ＢＲＳを搬送する１２個のＢＲＳブロックが示されている。各ＢＲＳブロックは、ポートとしても参照され得る８つのビーム（Ｍ＝８）をサポートし、つまり、１２×８＝９６グループで、各グループが１２サブキャリアを有することが示されている。つまり、図９において、１つのＢＲＳは、１２グループを使用し、１グループは１２サブキャリアである。図示する様に、１つのＢＲＳは、例えば、１２グループにマッピングされる。ビームは複数のＢＲＳブロックに分散されるので、ビームは周波数ダイバーシティを有し、各ＢＲＳブロックは、周波数ドメインにおいて間隔が設けられるので、各ＢＲＳブロックは、独立して減衰し得るという利点を与える。
【００８７】
幾つかの実施形態において、１つのＢＲＳは、例えば、１２サブキャリアに局所的にマッピングされる。典型的なチャネルのコヒーレント帯域幅は１２サブキャリアより大きいので、１つの１２サブキャリアチャネルは非常にフラットである。チャネルがＢＲＳブロックの１２隣接サブキャリアに渡りフラットであると、無線デバイス１２０が１２シーケンスの長さと相関を実行する際の処理ゲインがあるので、この利点は、受信機において干渉抑制を可能にすることである。
【００８８】
幾つかの特定の実施形態において、図１０の例に示す様に、バンドギャップのあるＢＲＳが提供される。
【００８９】
図１０において、ＢＲＳを搬送する８個のＢＲＳブロックが示されている。各ＢＲＳブロックは、８ビーム（Ｍ＝８）をサポートし、つまり、８×８＝６４グループで、各グループが１２サブキャリアを有することが示されている。つまり、１つのＢＲＳは、８グループを使用し、１グループは１２サブキャリアである。グループは、ここでは、サブキャリアのグループ又はＢＲＳグループとしても参照され得る。これらの実施形態において、例えば、物理ブロードキャストチャネル（ｘＰＢＣＨ）、拡張同期信号（ＥＳＳ）、セカンダリ同期信号（ＳＳＳ）及びプライマリ同期信号（ＰＳＳ）の様な他の信号のため、帯域幅の中間にスペースが残されている。この様に、ＢＲＳは、他の信号と同じＯＦＤＭシンボルで送信され、それらを２つの異なるＯＦＤＭシンボルで送信すること比較して遅延を改良する。ｘＰＢＣＨのｘは、４Ｇと区別するために使用される。つまり、ＰＢＣＨは４Ｇであり、ｘＰＢＣＨは例えば５Ｇである。これらの２つのＰＢＣＨは、異なる構造及びコンテンツを有し得る。文字ｘに特定の意味はないため、ｘは他の文字に置き換えられ得る。
【００９０】
ＢＲＳブロックは、１つの直交周波数分割多重シンボルにおいて帯域幅に渡り拡散されてブロードキャストされ得る。
【００９１】
図１１は、ＢＲＳブロックを有するブロードキャストされたＢＲＳの受信機である無線デバイス１２０により実行される方法の実装形態の例を示すフローチャートであり、無線デバイス１２０がどの様にＢＲＳ−ＲＳを計算するかを示している。
【００９２】
これらの実施形態において、無線デバイス１２０は、ＢＲＳブロック毎のスカラ数を得るために、各ＢＲＳブロックそれぞれについて独立に、ＢＲＳブロックで受信される信号の相関を実行する。処理ゲインを有するので、これは低い干渉を有する。これは、ポートが使用するＢＲＳブロック毎に１つの、複数の異なるスカラ数を与える。ポートがＫ個のＢＲＳブロックを使用するものと仮定する。受信機は、これらのＫ個のスカラ数を、例えば、これらＫ個の数を平均化することで結合する。単一のスカラ数が得られ、これは、干渉抑制パートと周波数平均化パートの両方を有する。これが、そのポートのＢＲＳ−ＲＰの結果となる。これが図１１に示され、方法は、以下のアクションの１つ以上を含む。
【００９３】
アクション１１０１
無線デバイス１２０は、無線ネットワークノード１１０からＢＲＳブロックを受信する。これは、上記アクション５０１に関する。
【００９４】
アクション１１０２
無線デバイス１２０は、Ｋ個のＢＲＳブロックのＢＲＳ測定を実行する。これは、上記アクション５０２に関する。
【００９５】
アクション１１０３
無線デバイス１２０は、シーケンスｐ当たり１つのスカラ値Ｖ＿｛ｋ，ｐ｝を得るため、Ｋ個のＢＲＳブロックのブロックｋと、Ｐ個のＢＲＳシーケンスの１つ又はセットとの相関を実行する。これは、上記アクション５０２に関する。
【００９６】
アクション１１０４
無線デバイス１２０は、スカラ値Ｗ＿｛ｐ｝を得るため、各シーケンスｐについて、Ｋ個のＢＲＳブロックに渡る数Ｖ＿｛ｋ，ｐ｝を結合又は平均化する。これらは、シーケンスＢＲＳ  ｐのＢＲＳ−ＲＰである。これは、上記アクション５０２に関する。
【００９７】
アクション１１０５
無線デバイス１２０は、ＢＲＳ−ＲＰ  Ｗ＿｛ｐ｝の１つ又は選択したセットを含む測定報告を無線ネットワークノード１１０に送信する。これは、上記アクション５０３に関する。
【００９８】
ここでは、無線通信ネットワーク１００において、ビーム基準信号をブロードキャストする、或いは、処理する、無線ネットワークノード１１０により実行される方法の例を示した。
【００９９】
無線ネットワークノード１１０は、複数アンテナシステムを含み、複数のアンテナシステムは、複数のビームをサポートする。前記方法は、
ＢＲＳブロックを生成することを含み、
各ＢＲＳブロックは、Ｍ個のサブキャリアの隣接グループを含み、
Ｍ個のグループの各グループは、サブキャリアのグループを含み、グループの各サブキャリアは、１つのビームに属するＢＲＳを有し、
グループの数Ｍは、例えば、その送信ポイント又は無線ネットワークノード１１０の複数アンテナシステムによりサポートされるビームの合計数に対応し、
ＢＲＳブロックを生成することを含む。
【０１００】
幾つかの実施形態において、ＢＲＳブロックの送信は、無線通信ネットワーク１００のシステム帯域幅に渡り繰り返される。
【０１０１】
方法は、さらに、
ブロードキャストされたＢＲＳブロックで無線デバイス１２０が実行した測定結果を含む測定報告を、無線デバイス１２０から受信することと、
無線ネットワークノード１１０と無線デバイス１２０との間のデータ送信のための１つ以上のビームを測定報告に基づき選択することと、
のいずれか１つを含み得る。
【０１０２】
例えば、無線通信ネットワーク１００において、複数アンテナシステムを含む無線ネットワークノード１１０から送信されたＢＲＳを受信する無線デバイス１２０により実行される方法の例をここではさらに開示した。複数アンテナシステムは、複数のビームをサポートする。例示的な方法は、
無線ネットワークノード１１０により、例えば、ブロードキャストされたＢＲＳを受信することを含み、
各ＢＲＳブロックは、Ｍ個のサブキャリアの隣接グループを含み、
Ｍ個のグループの各グループは、サブキャリアのグループを含み、グループの各サブキャリアは、１つのビームに属するＢＲＳを有し、
グループの数Ｍは、例えば、複数アンテナシステムによりサポートされるビームの数に対応する。
【０１０３】
幾つかの実施形態において、受信する、ブロードキャストされたＢＲＳは、無線通信ネットワーク１００のシステム帯域幅に渡り繰り返される。
【０１０４】
方法は、さらに、
受信する、ブロードキャストされたＢＲＳブロックの測定を実行することであって、幾つかの実施形態において、ＢＲＳ−ＲＰを計算することと、
送信されたＢＲＳブロックで無線デバイス１２０が実行した測定結果を含む測定報告を、無線ネットワークノード１１０に送信することとであって、これは、無線ネットワークノード１１０と無線デバイス１２０との間のデータ送信のための１つ以上のビームを測定報告に基づき無線ネットワークノード１１０が選択することを可能にする、ことと、
のいずれか１つを含み得る。
【０１０５】
さらに、無線通信ネットワーク１００において、例えば、ＢＲＳをブロードキャストする無線ネットワークノード１１０が開示された。無線ネットワークノード１１０は図６に示されている。無線ネットワークノード１１０は、例えば、複数アンテナシステムを含む様に構成され、複数のアンテナシステムは、複数のビームをサポート可能である。
【０１０６】
無線ネットワークノード１１０は、例えば、生成モジュール６１０の手段により、
ＢＲＳブロックであって、各ＢＲＳブロックは、Ｍ個のサブキャリアの隣接グループを含み、Ｍ個のグループの各グループは、サブキャリアのグループを含み、グループの各サブキャリアは、１つのビームに属するＢＲＳを有する、前記ＢＲＳブロックを生成する様に構成され得る。グループの数Ｍは、例えば、複数アンテナシステムによりサポートされるビームの数に対応する。
【０１０７】
無線ネットワークノード１１０は、さらに、例えば、送信モジュール６２０の手段により、ＢＲＳブロックを送信又はブロードキャストする様に構成され得る。
【０１０８】
無線ネットワークノード１１０は、さらに、送信モジュール６２０の手段により、無線通信ネットワーク１００のシステム帯域幅に渡りＢＲＳブロックを繰り返しブロードキャストする様に構成され得る。
【０１０９】
本実施形態は、図６に示す無線ネットワークノード１１０の処理ユニット６０１の様な、１つ以上のプロセッサと、本開示の機能及びアクションを実行するコンピュータプログラムコードと、により実現され得る。上記プログラムコードは、例えば、無線ネットワークノード１１０にロードされると、本実施形態を実行するコンピュータプログラムコードを搬送するデータキャリアの形式といった、コンピュータプログラム製品としても提供され得る。その様なキャリアの１形式は、ＣＤ  ＲＯＭである。しかしながら、メモリスティックの様な他のデータキャリアも可能である。コンピュータプログラムコードは、サーバ上の純粋なプログラムコードとしても提供され、無線ネットワークノード１１０にダウンロードされる。
【０１１０】
さらに、無線通信ネットワーク１００において、例えば、複数アンテナシステムを含む無線ネットワークノード１１０から送信又はブロードキャストされたＢＲＳを受信する無線デバイス１２０を開示した。図７を参照。複数アンテナシステムは、複数のビームをサポートする。
【０１１１】
無線デバイス１２０は、例えば、受信モジュール７１０の手段により、
無線ネットワークノード１１０により送信又はブロードキャストされたＢＲＳを受信する様に構成され、各ＢＲＳブロックは、Ｍ個のサブキャリアの隣接グループを含み、Ｍ個のグループの各グループは、サブキャリアのグループを含み、グループの各サブキャリアは、１つのビームに属するＢＲＳを有する、前記ＢＲＳブロックを生成する様に構成され得る。グループの数Ｍは、例えば、複数アンテナシステムによりサポートされるビームの数に対応する。
【０１１２】
幾つかの実施形態において、ＢＲＳブロックの送信は、無線通信ネットワーク１００のシステム帯域幅に渡り繰り返される。
【０１１３】
幾つかの実施形態において、無線デバイス１２０は、例えば、実行モジュール７２０の手段により、受信する、ブロードキャストされたＢＲＳブロックの測定を実行する様に構成される。
【０１１４】
本実施形態は、図７に示す無線デバイス１２０の処理ユニット７０１の様な、１つ以上のプロセッサと、本開示の機能及びアクションを実行するコンピュータプログラムコードと、により実現され得る。上記プログラムコードは、例えば、無線デバイス１２０にロードされると、本実施形態を実行するコンピュータプログラムコードを搬送するデータキャリアの形式といった、コンピュータプログラム製品としても提供され得る。その様なキャリアの１形式は、ＣＤ  ＲＯＭである。しかしながら、メモリスティックの様な他のデータキャリアも可能である。コンピュータプログラムコードは、サーバ上の純粋なプログラムコードとしても提供され、無線デバイス１２０にダウンロードされる。
【０１１５】
通信デザインに精通した者には容易に理解される様に、機能手段又はモジュールは、デジタルロジック及び／又は１つ以上のマイクロコントローラ、マイクロプロセッサ又は他のデジタルハードウェアにより実現され得る。幾つかの実施形態において、幾つかの、総ての又は種々の機能は、単一のアプリケーション特定集積回路（ＡＳＩＣ）、又は、２つ以上の、それらの間の適切なハードウェア及び／又はソフトウェアインタフェースを有する個別デバイスにより実現され得る。幾つかの機能は、例えば、無線ネットワークノードの他の機能コンポーネントと共用されるプロセッサで実現され得る。
【０１１６】
代わりに、処理手段の機能要素の幾つかは、個別ハードウェアを介して提供される一方、他の機能要素は、適切なソフトウェア又はファームウェアに関連してソフトウェアを実行するハードウェアで提供される。この様に、ここで使用される用語"プロセッサ"又は"コントローラ"は、ソフトウェアを実行できるハードウェアのみを参照するのではなく、限定しないが、デジタル信号プロセッサ（ＤＳＰ）ハードウェア、ソフトウェアを格納する読出し専用メモリ（ＲＯＭ）、ソフトウェアを格納するランダムアクセスメモリ（ＲＡＭ）、及び／又は、プログラム、若しくは、アプリケーションデータ及び不揮発性メモリを暗示的に含み得る。他のハードウェア、従来のハードウェア、及び／又は、カスタムハードウェアも含み得る。無線ネットワークノードの設計者は、これらのデザインの選択において本質的な、コスト、パフォーマンス、及び、メンテナンスのトレードオフを理解する。
【０１１７】
上記記載及び添付の図面は、本開示の方法及び装置の限定しない例を開示している。よって、本開示の装置及び技術は、上記記載及び添付の図面に限定されない。むしろ、本実施形態は、以下の特許請求の範囲及びその均等のみにより限定される。
【図１】
2019519952.tif 000003
【図２】
2019519952.tif 000004
【図３】
2019519952.tif 000005
【図４】
2019519952.tif 000006
【図５】
2019519952.tif 000007
【図６】
2019519952.tif 000008
【図７】
2019519952.tif 000009
【図８】
2019519952.tif 000010
【図９】
2019519952.tif 000011
【図１０】
2019519952.tif 000012
【図１１】
2019519952.tif 000013
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
無線通信ネットワークの無線ネットワークノード（１１０）により送信されるビームのビーム基準信号（ＢＲＳ）を処理するために、前記無線ネットワークノード（１１０）により実行される方法であって、
ＢＲＳブロックを生成すること（４０１）であって、各ＢＲＳブロックは、前記ビームのポートに属する前記ＢＲＳのための隣接サブキャリアの各グループを含み、前記ポートに属する前記ＢＲＳは、各ＢＲＳブロックの隣接サブキャリアの前記各グループの各サブキャリアで搬送される、前記生成する（４０１）ことと、
同じ直交周波数分割多重（ＯＦＤＭ）シンボルの帯域幅に渡り拡散された前記ＢＲＳブロックを送信すること（４０２）と、
を含む方法。
【請求項２】
請求項１に記載の方法であって、
前記帯域幅に渡り拡散された前記ＢＲＳブロックを前記送信すること（４０２）は、前記同じＯＦＤＭシンボルのシステム帯域幅に渡り前記ＢＲＳブロックを繰り返し送信することを含む、方法。
【請求項３】
請求項１又は２に記載の方法であって、
前記帯域幅に渡り拡散された前記ＢＲＳブロックを前記送信すること（４０２）は、周波数ドメインにおいて前記帯域幅の中間に他の信号のためのスペースだけ間隔を設けた前記ＢＲＳブロックを送信することを含む、方法。
【請求項４】
請求項１から３のいずれか１項に記載の方法であって、
前記ＢＲＳブロックは、前記各ＢＲＳブロックの基準信号シーケンスのための異なる初期シード値を有する、方法。
【請求項５】
請求項１から４のいずれか１項に記載の方法であって、
各ＢＲＳブロックの隣接サブキャリアの更なるグループが、異なるビームの異なるＢＲＳに割り当てられる、方法。
【請求項６】
請求項１から５のいずれか１項に記載の方法であって、
前記ＢＲＳブロックを前記送信すること（４０２）は、前記ＢＲＳブロックをブロードキャストすることを含む、方法。
【請求項７】
請求項１から６のいずれか１項に記載の方法であって、
前記無線ネットワークノード（１１０）は、合計数のビームをサポートする複数アンテナシステムを含み、前記ＢＲＳブロックを前記生成すること（４０１）は、前記ＢＲＳブロックを生成することを含み、各ＢＲＳブロックは、隣接サブキャリアのＭ個のグループを含み、前記Ｍ個のグループの各グループは、各ビームの対応するＢＲＳを搬送する隣接サブキャリアのグループを含み、グループの数Ｍは、前記複数アンテナシステムによりサポートされるビームの前記合計数に対応する、方法。
【請求項８】
無線通信ネットワークの無線ネットワークノード（１１０）により送信されるビームのビーム基準信号（ＢＲＳ）を測定するために、無線デバイス（１２０）により実行される方法であって、
同じ直交周波数分割多重（ＯＦＤＭ）シンボルの帯域幅に渡り拡散されたＢＲＳブロックを受信すること（５０１）であって、各ＢＲＳブロックは、前記ビームのポートに属する前記ＢＲＳのための隣接サブキャリアの各グループを含み、前記ポートに属する前記ＢＲＳは、各ＢＲＳブロックの隣接サブキャリアの前記各グループの各サブキャリアで搬送される、前記受信する（５０１）ことと、
前記ＢＲＳブロックの測定を実行する（５０２）ことと、
を含む方法。
【請求項９】
請求項８に記載の方法であって、
前記帯域幅に渡り拡散された前記ＢＲＳブロックを前記受信する（５０１）ことは、前記同じＯＦＤＭシンボルのシステム帯域幅に渡り繰り返し送信される前記ＢＲＳブロックを受信することを含む、方法。
【請求項１０】
請求項８又は９に記載の方法であって、
前記帯域幅に渡り拡散された前記ＢＲＳブロックを前記受信する（５０１）ことは、周波数ドメインにおいて前記帯域幅の中間に他の信号のためのスペースだけ間隔を設けた前記ＢＲＳブロックを受信することを含む、方法。
【請求項１１】
請求項８から１０のいずれか１項に記載の方法であって、
前記ＢＲＳブロックは、前記各ＢＲＳブロックの基準信号シーケンスのための異なる初期シード値を有する、方法。
【請求項１２】
請求項８から１１のいずれか１項に記載の方法であって、
受信される各ＢＲＳブロックは、異なるビームの異なるＢＲＳに割り当てられた隣接サブキャリアの更なるグループを含む、方法。
【請求項１３】
請求項８から１２のいずれか１項に記載の方法であって、
受信される各ＢＲＳブロックは、隣接サブキャリアのＭ個のグループを含み、前記Ｍ個のグループの各グループは、各ビームの対応するＢＲＳを搬送する隣接サブキャリアのグループを含み、グループの数Ｍは、前記無線ネットワークノード（１１０）に含まれる複数アンテナシステムによりサポートされるビームの合計数に対応する、方法。
【請求項１４】
無線通信ネットワークの無線ネットワークノード（１１０）により送信されるビームのビーム基準信号（ＢＲＳ）を処理する前記無線ネットワークノード（１１０）であって、
前記無線ネットワークノード（１１０）は、
ＢＲＳブロックであって、各ＢＲＳブロックは、前記ビームのポートに属する前記ＢＲＳのための隣接サブキャリアの各グループを含み、前記ポートに属する前記ＢＲＳは、各ＢＲＳブロックの隣接サブキャリアの前記各グループの各サブキャリアで搬送される、前記ＢＲＳブロックを生成し、
同じ直交周波数分割多重（ＯＦＤＭ）シンボルの帯域幅に渡り拡散された前記ＢＲＳブロックを送信する様に構成される、無線ネットワークノード。
【請求項１５】
請求項１４に記載の無線ネットワークノードであって、
前記同じＯＦＤＭシンボルのシステム帯域幅に渡り前記ＢＲＳブロックを繰り返し送信する様に構成される、無線ネットワークノード。
【請求項１６】
請求項１４又は１５に記載の無線ネットワークノード（１１０）であって、
周波数ドメインにおいて前記帯域幅の中間に他の信号のためのスペースだけ間隔を設けた前記ＢＲＳブロックを送信する様に構成される、無線ネットワークノード。
【請求項１７】
請求項１４から１６のいずれか１項に記載の無線ネットワークノード（１１０）であって、
前記ＢＲＳブロックは、前記各ＢＲＳブロックの基準信号シーケンスのための異なる初期シード値を有する、無線ネットワークノード。
【請求項１８】
請求項１４から１７のいずれか１項に記載の無線ネットワークノード（１１０）であって、
異なるビームの異なるＢＲＳのために各ＢＲＳブロックの隣接サブキャリアの更なるグループを割り当てる様に構成される、無線ネットワークノード。
【請求項１９】
無線通信ネットワークの無線ネットワークノード（１１０）により送信されるビームのビーム基準信号（ＢＲＳ）を測定する無線デバイス（１２０）であって、
前記無線デバイスは、
同じ直交周波数分割多重（ＯＦＤＭ）シンボルの帯域幅に渡り拡散されたＢＲＳブロックであって、各ＢＲＳブロックは、前記ビームのポートに属する前記ＢＲＳのための隣接サブキャリアの各グループを含み、前記ポートに属する前記ＢＲＳは、各ＢＲＳブロックの隣接サブキャリアの前記各グループの各サブキャリアで搬送される、前記ＢＲＳブロックを受信し、
前記ＢＲＳブロックの測定を実行する様に構成される、無線デバイス。
【請求項２０】
請求項１９に記載の無線デバイス（１２０）であって、
前記同じＯＦＤＭシンボルのシステム帯域幅に渡り繰り返し送信される前記ＢＲＳブロックを受信する様に構成される、無線デバイス。
【請求項２１】
請求項１９又は２０に記載の無線デバイス（１２０）であって、
周波数ドメインにおいて前記帯域幅の中間に他の信号のためのスペースだけ間隔を設けた前記ＢＲＳブロックを受信する様に構成される、無線デバイス。
【請求項２２】
請求項１９から２１のいずれか１項に記載の無線デバイス（１２０）であって、
前記ＢＲＳブロックは、前記各ＢＲＳブロックの基準信号シーケンスのための異なる初期シード値を有する、無線デバイス。
【国際調査報告】
2019519952.tif 000014
2019519952.tif 000015
2019519952.tif 000016